(57)【要約】【課題】放送番組を視聴中のユーザ同士を通信という双方向の伝送路を利用して連携すること。【解決手段】複数の受信機（３）を連携する受信機連携システム（１）では、受信機（３）の各々は、放送局（２）から番組コンテンツと共に番組識別情報を受信すると、当該番組識別情報を連携サーバ（４）に送信する。連携サーバ（４）では、受信した番組識別情報から受信機（３）毎の視聴状態（視聴中の番組コンテンツ）を管理し、受信機（３）に対して、同一の番組コンテンツを視聴中の他の受信機（３）の情報を送信する。このとき、受信機（３）では、番組コンテンツと共に同一の番組コンテンツを視聴中の他の受信機（３）の情報を表示する。【選択図】図１
2012244340.tif 000002
【特許請求の範囲】
【請求項１】
放送又は通信を介して、番組コンテンツと共に複数の情報が多重化されて構成される番組コンテンツ信号を受信する複数の受信機と、複数の前記受信機の各々と通信可能に接続された連携サーバと、を含む受信機連携システムであって、
複数の前記受信機の各々は、
前記番組コンテンツ信号に含まれている番組コンテンツを一意に特定する番組識別情報を抽出する解析部と、
抽出した前記番組識別情報を前記連携サーバに通知すると共に、前記番組識別情報により特定される前記番組コンテンツを視聴中の他の受信機の情報を前記連携サーバに問合せ取得する連携サーバ通信部と、
取得した前記受信機の情報を前記番組コンテンツと併せて表示する提示部と、
を備え、
前記連携サーバは、
複数の前記受信機が視聴中の番組コンテンツを管理する視聴状態管理部と、
前記受信機からの前記番組識別情報の通知に応じて、前記視聴状態管理部により管理される情報を更新する視聴状態更新部と、
前記受信機からの問合せに応じて、前記視聴状態管理部を参照して同一の番組コンテンツを視聴中の他の受信機の情報を抽出する同一番組視聴受信機抽出部と、
を備える、
受信機連携システム。
【請求項２】
前記受信機の前記解析部は、
前記番組コンテンツ信号から、前記番組コンテンツと連携して実行される１又は複数のアプリケーションの識別情報、及び前記アプリケーションの取得に用いるロケーション情報を含むアプリケーション情報を抽出し、
前記受信機は、
所定の選択情報に基づき選択された前記アプリケーションを実行するアプリケーション実行部と、
前記解析部が抽出した前記アプリケーション情報から、前記アプリケーション実行部で実行された前記アプリケーションの前記ロケーション情報を抽出するアプリケーション情報抽出部と、
を更に備え、
前記受信機の前記連携サーバ通信部は、
前記アプリケーション情報抽出部が抽出した前記ロケーション情報を前記連携サーバに通知し、
前記連携サーバは、
前記受信機からの前記ロケーション情報の通知に応じて、前記同一の番組コンテンツを視聴中の他の受信機に、当該ロケーション情報を通知する受信機通信部、
を更に備える、
請求項１に記載の受信機連携システム。
【請求項３】
前記受信機は、
前記連携サーバからの前記ロケーション情報の通知に応じて、他の受信機で実行中の前記アプリケーションを取得するサービスサーバ通信部、を更に備え、
前記受信機のアプリケーション実行部は、取得した前記アプリケーションを実行する、
請求項２に記載の受信機連携システム。
【発明の詳細な説明】
【技術分野】
【０００１】
本発明は、番組を視聴可能な複数のテレビ受信機の連携を実現する受信機連携システムに関する。
【背景技術】
【０００２】
近年の放送のデジタル化と通信のブロードバンド化の進展に伴い、Ｈｙｂｒｉｄｃａｓｔ（ハイブリッドキャスト（登録商標））や、欧州のＨｂｂＴＶ（Ｈｙｂｒｉｄ  Ｂｒｏａｄｃａｓｔ  ＢｒｏａｄｂａｎｄＴＶ）をはじめとする放送通信連携サービスの実現に向けた研究開発が行われている。
このような放送通信連携サービスでは、放送と通信という異なる伝送路を用いてコンテンツを配信し、デジタルテレビやパーソナルコンピュータ、携帯端末などの受信機に、配信されたそれらの複数のコンテンツの表示画面を合わせて同時に表示することが考えられている。例えば、ウィジェット（又はガジェット）やブラウザなどのアプリケーションプログラム（以下、「アプリケーション」と記載する。）を用い、放送により配信されたコンテンツである放送番組の表示画面上に、通信により配信された文字情報、音声、動画などの通信コンテンツを重ね合わせて表示することなどが想定される。
【０００３】
ところで、放送番組の表示画面上に通信コンテンツを自由に重ね合わせることを可能にすると、画面構成や番組構成などの番組制作者の演出意図が視聴者に伝わらなくなる可能性がある。そこで、近年では、放送事業者（番組制作者）が通信コンテンツの表示を制御することで、放送番組の演出意図を損なわなくする試みがなされている。
例えば、特許文献１では、コンテンツ（放送番組）を放送する事業者が有する設備から、コンテンツの表示方法を決定するための制御情報を当該コンテンツと紐付けて通信により配信し、コンテンツ表示装置である受信機が、その制御情報に基づいてコンテンツの表示画面とアプリケーションの表示画面の表示方法を決定することが記載されている。これにより、番組の作品性を侵害せずに複数のアプリケーション画面を表示することができる。
【先行技術文献】
【特許文献】
【０００４】
【特許文献１】特開２０１０−４４９８号公報
【発明の概要】
【発明が解決しようとする課題】
【０００５】
ここで、このような放送通信連携サービスでは、放送だけでなく通信も利用したサービスをテレビ受信機のユーザに提供することができるため、放送という一方通行の伝送路のみを用いていた場合には想定することのできなかった新たなサービスを実行する仕組みの開発が求められている。
【０００６】
そこで、本発明は、放送番組を視聴中のユーザ同士を通信という双方向の伝送路を利用して連携することの可能な受信機連携システムを提供することを目的とする。
【課題を解決するための手段】
【０００７】
本発明に係る受信機連携システムは、放送又は通信を介して、番組コンテンツと共に複数の情報が多重化されて構成される番組コンテンツ信号を受信する複数の受信機と、複数の前記受信機の各々と通信可能に接続された連携サーバと、を含み、複数の前記受信機の各々は、前記番組コンテンツ信号に含まれている番組コンテンツを一意に特定する番組識別情報を抽出する解析部と、抽出した前記番組識別情報を前記連携サーバに通知すると共に、前記番組識別情報により特定される前記番組コンテンツを視聴中の他の受信機の情報を前記連携サーバに問合せ取得する連携サーバ通信部と、取得した前記受信機の情報を前記番組コンテンツと併せて表示する提示部と、を備え、前記連携サーバは、複数の前記受信機が視聴中の番組コンテンツを管理する視聴状態管理部と、前記受信機からの前記番組識別情報の通知に応じて、前記視聴状態管理部により管理される情報を更新する視聴状態更新部と、前記受信機からの問合せに応じて、前記視聴状態管理部を参照して同一の番組コンテンツを視聴中の他の受信機の情報を抽出する同一番組視聴受信機抽出部と、を備える構成とした。
【０００８】
かかる構成によれば、本発明の受信機連携システムでは、受信機と連携サーバとの双方向の通信、すなわち、受信機から連携サーバへの視聴中の番組コンテンツを特定する番組識別情報の送信、及び連携サーバから受信機への同一の番組コンテンツを視聴中の他の受信機の情報の送信、により、受信機には、番組コンテンツと併せて他の受信機の情報が表示される。これにより、通信という双方向の伝送路を利用して、同一の放送番組を視聴中のユーザ同士を連携することができる。
【０００９】
また、受信機連携システムでは、前記受信機の前記解析部は、前記番組コンテンツ信号から、前記番組コンテンツと連携して実行される１又は複数のアプリケーションの識別情報、及び前記アプリケーションの取得に用いるロケーション情報を含むアプリケーション情報を抽出し、前記受信機は、所定の選択情報に基づき選択された前記アプリケーションを実行するアプリケーション実行部と、前記解析部が抽出した前記アプリケーション情報から、前記アプリケーション実行部で実行された前記アプリケーションの前記ロケーション情報を抽出するアプリケーション情報抽出部と、を更に備え、前記受信機の前記連携サーバ通信部は、前記アプリケーション情報抽出部が抽出した前記ロケーション情報を前記連携サーバに通知し、前記連携サーバは、前記受信機からの前記ロケーション情報の通知に応じて、前記同一の番組コンテンツを視聴中の他の受信機に、当該ロケーション情報を通知する受信機通信部、を更に備える構成としてもよい。
【００１０】
このとき、受信機連携システムでは、前記受信機は、前記連携サーバからの前記ロケーション情報の通知に応じて、他の受信機で実行中の前記アプリケーションを取得するサービスサーバ通信部、を更に備え、前記受信機のアプリケーション実行部は、取得した前記アプリケーションを実行する構成としてもよい。
【００１１】
かかる構成によれば、本発明の受信機連携システムは、同一の放送番組を視聴中の複数の受信機のうち１の受信機で番組コンテンツと連携するアプリケーションが実行されると、他の受信機に対して当該アプリケーションの情報が通知され、実行される。これにより、通信という双方向の伝送路を利用して、同一の放送番組を視聴中のユーザに対して同一のアプリケーションにより実現される共通のサービスを提供することができる。
【発明の効果】
【００１２】
本発明によれば、放送番組を視聴中のユーザ同士を通信という双方向の伝送路を利用して連携することができる。
【図面の簡単な説明】
【００１３】
【図１】受信機連携システムの構成を示す図である。
【図２】アプリケーション管理情報の記述例を示す図である。
【図３】受信機の機能構成を示すブロック図である。
【図４】連携サーバの機能構成を示すブロック図である。
【図５】連携サーバの視聴状態管理部を示す図である。
【図６】受信機連携システムの一機能の処理の流れを示すフローチャートである。
【図７】受信機の機能構成を示すブロック図である。
【図８】連携サーバの機能構成を示すブロック図である。
【図９】受信機の機能構成を示すブロック図である。
【図１０】受信機連携システムの一機能の処理の流れを示すフローチャートである。
【図１１】受信機連携システムの動作を示す図である。
【図１２】受信機連携システムの動作を示す図である。
【発明を実施するための形態】
【００１４】
以下、本発明の実施形態について図面を参照して説明する。
【００１５】
［受信機連携システム１の概要］
初めに、図１を参照して、本発明の受信機連携システム１の概要について説明する。
受信機連携システム１は、放送局２と、複数の受信機３と、連携サーバ４と、サービスサーバ５と、を含んで構成され、放送と通信とを連携する放送通信連携サービスにおいて、複数の受信機３の連携を実現する。なお、放送通信連携サービスの形態は複数存在するが、本実施形態では、受信機３において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式による放送サービスと、インターネットによる通信サービスとを連携する。
【００１６】
放送局２は、番組コンテンツ信号を編成する一般的な編成設備（図示省略）、編成した番組コンテンツ信号を放送用アンテナを介して放送する一般的なデジタル放送用の放送設備（図示省略）を含む。また、放送局２は、番組コンテンツ信号をネットワークを介して送信する一般的なＶＯＤ（Ｖｉｄｅｏ  Ｏｎ  Ｄｅｍａｎｄ）配信用の通信設備（図示省略）を含こととしてもよい。
【００１７】
放送局２は、放送設備や通信設備を用いて、編成した番組コンテンツ信号を任意の方法で伝送する。放送局２は、映像、音声などの各種データを、例えば、国際標準規格ＭＰＥＧ−２  Ｓｙｓｔｅｍｓで規定されるＴＳパケット（トランスポートストリームパケット）に格納し伝送する。このとき、ＴＳパケットによるデータの伝送は、ＰＥＳ（Ｐａｃｋｅｔｉｚｅｄ  Ｅｌｅｍｅｎｔａｒｙ  Ｓｔｒｅａｍ）パケットを用いた伝送（データストリーム伝送）と、セクションを用いた伝送（データカルーセル伝送）とに分類される。
データストリーム伝送では、映像や音声などの番組コンテンツを構成する主なデータが伝送され、ＰＥＳの所定領域（例えば、ヘッダ）に再生時刻などの時間情報を含むことができる。また、データカルーセル伝送では、メタデータなどの番組に関連する様々なデータが伝送され、個々のデータ（モジュール）に識別情報や時間情報などの情報を付すことができる。
【００１８】
ここで、放送局２から放送又は通信を介して伝送される番組コンテンツ信号には、映像や音声を含んで構成される番組コンテンツに加え、放送通信連携サービスにおいて当該番組コンテンツと連携して実行されるアプリケーションに関する情報（アプリケーション管理情報）が少なくとも含まれる。すなわち、番組コンテンツ信号は、番組コンテンツ及びアプリケーション管理情報を含む情報が多重化されて構成される。
【００１９】
なお、番組コンテンツ信号に多重化されるアプリケーション管理情報は、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）標準規格に規定されたＡＩＴ（Ａｐｐｌｉｃａｔｉｏｎ  Ｉｎｆｏｒｍａｔｉｏｎ  Ｔａｂｌｅ）を用いて記述することができる。
【００２０】
ここで、アプリケーション管理情報を記述したＡＩＴを図２に示す。図２（１）は、ＡＩＴの具体的な記述例であり、図２（２）は当該記述例の概要を示す模式図である。
【００２１】
図２（２）を参照して、ＡＩＴには、番組コンテンツと連携して実行する１又は複数のアプリケーションのリストが記述される。アプリケーションのリストに記述される個々のアプリケーションは、アプリケーションＩＤ（識別情報）により識別され、それぞれのアプリケーションについて、アプリケーションの名称や、アプリケーション及び当該アプリケーションで用いるコンテンツ（以下、「アプリ用コンテンツ」と記載する。）の所在を示すロケーション情報を含むアプリケーション管理情報が記述される。
【００２２】
なお、図２では、アプリケーション管理情報としてアプリケーション名及びロケーション情報のみを記述しているが、これらの記述は一例にすぎず、アプリケーションを制御するためのその他の情報を記述することを妨げるものではない。
また、図２では、ＡＰＰ１（音声（英語））のロケーション情報、ＡＰＰ２（音声（中国語））のロケーション情報、及びＡＰＰ３（関連地図）のロケーション情報をそれぞれ異なるものとしている。この点について、放送通信連携サービスにおけるサービスを実行するためのアプリケーションの所在を管理するロケーション管理サーバ（リポジトリ）を設け、当該ロケーション管理サーバに問い合わせることで、各アプリケーションを管理するサービスサーバ５のロケーション情報を取得する構成としてもよい。この場合には、ＡＩＴには、各アプリケーションのロケーション情報として、ロケーション管理サーバのロケーション情報を記述しておけばよい。
【００２３】
図１に戻り、受信機３は、例えば、テレビ、セットトップボックス、パーソナルコンピュータ、携帯端末などのデバイスであり、既存のネットワークを介して連携サーバ４及びサービスサーバ５と通信可能に接続される。受信機３は、放送局２から放送又は通信を介して伝送される番組コンテンツ信号から映像データ、音声データ、データ放送や字幕データ、ＳＩ（Ｓｅｒｖｉｃｅ  Ｉｎｆｏｒｍａｔｉｏｎ）データなどの各種データを分離し、適宜デコード処理など行った上で番組コンテンツ（映像・音声など）を出力する機能と、アプリケーションを実行し、実行されているアプリケーションがネットワークを経由してサービスサーバ５から取得したアプリ用コンテンツの映像及び音声を出力する機能と、を少なくとも有する。
ここで、本実施形態の受信機連携システム１では、連携する複数の受信機３として、受信機Ａ、受信機Ｂ、受信機Ｃ及び受信機Ｄを例にとり説明する。これら受信機Ａ〜Ｄの詳細な構成については、図３などで後述する。
【００２４】
連携サーバ４は、既存のネットワークに接続され、当該ネットワークを介して複数の受信機３と通信可能に接続される。連携サーバ４は、受信機３と通信することで複数の受信機３を連携する。
なお、連携サーバ４の詳細については、図４などで後述する。
【００２５】
サービスサーバ５は、一般的なコンテンツ配信サーバであり、既存のネットワークに接続され、当該ネットワークを介して複数の受信機３と通信可能に接続される。サービスサーバ５は、受信機連携システム１内において複数設けられ、所定のアプリケーション及びアプリ用コンテンツを各々管理し、受信機３からの要求に応じてアプリケーションやアプリ用コンテンツを配信する。
【００２６】
このような受信機連携システム１では、連携サーバ４を介して複数の受信機３（受信機Ａ〜Ｄ）が連携される。本実施形態では、複数の受信機３の連携として、同一の番組コンテンツを視聴中の受信機の連携、及び同一の番組コンテンツを視聴中の受信機での共通アプリケーションの実行、を実現する。
以下、図３〜図１０を参照して、これらの連携を実現するための具体的な構成について説明する。
【００２７】
［同一の番組コンテンツを視聴中の受信機の連携］
初めに、図３〜図６を参照して、同一の番組コンテンツを視聴中の受信機の連携を実現するための構成について説明する。
【００２８】
［受信機の構成］
図３を参照して、受信機の構成について説明する。なお、以下では、受信機Ａの構成を説明することで、当該連携を実現するために必要とされる構成について説明する。他の受信機Ｂ〜Ｄの構成については、基本的に受信機Ａの構成と同じである。
【００２９】
受信機Ａは、番組コンテンツ受信部３１と、解析部３２と、連携サーバ通信部３３と、提示部３４と、を含んで構成される。
【００３０】
番組コンテンツ受信部３１は、放送又は通信を介して、番組コンテンツと共に複数の情報が多重化されて構成される番組コンテンツ信号を受信する。具体的には、番組コンテンツ受信部３１は、デジタル放送又はネットワークを介して、少なくともコンテンツ識別情報が付された番組コンテンツ（映像・音声）を受信する。なお、番組コンテンツには、字幕や他のデータなどを含んでいてもよい。
ここで、コンテンツ識別情報とは、その番組コンテンツを一意に特定できる情報であり、例えば、ＣＲＩＤ（Ｃｏｎｔｅｎｔ  Ｒｅｆｅｒｅｎｃｅ  Ｉｄｅｎｔｉｆｉｅｒ）の概念を適用することができる。
【００３１】
番組コンテンツ受信部３１は、受信した番組コンテンツ信号に含まれている番組コンテンツを提示部３４に送る。なお、番組コンテンツは、詳細は省略するが、デコード処理などを行った後に提示部３４を介して、ディスプレイやスピーカなどから出力される。
また、番組コンテンツ受信部３１は、番組コンテンツ信号に含まれているコンテンツ識別情報を含むデータを解析部３２に送る。
【００３２】
解析部３２は、番組コンテンツ受信部３１から送られたデータの解析を行い、受信機Ａが受信中、すなわち、受信機Ａで視聴中の番組コンテンツを一意に特定するコンテンツ識別情報を抽出し、連携サーバ通信部３３に送る。
【００３３】
連携サーバ通信部３３は、ネットワークを介して連携サーバ４にアクセスし、解析部３２で抽出したコンテンツ識別情報を当該連携サーバ４に通知する。また、連携サーバ通信部３３は、通知したコンテンツ識別情報により特定される番組コンテンツを視聴中の他の受信機、すなわち、同一の番組コンテンツを視聴中の他の受信機の情報を連携サーバ４に問合せ取得する。また、連携サーバ通信部３３は、取得した他の受信機の情報を提示部３４に送る。
【００３４】
提示部３４は、番組コンテンツ受信部３１から送られた番組コンテンツと連携サーバ通信部３３から送られた他の受信機の情報とをディスプレイなどの出力部に送り、番組コンテンツと併せて同一の番組コンテンツを視聴中の他の受信機の情報を表示する。このとき、他の受信機の情報は、番組コンテンツに重ね合わせて表示することとしてもよく、番組コンテンツの外側へ表示することとしてもよい。
【００３５】
［連携サーバ４の構成］
続いて、図４及び図５を参照して、連携サーバ４の構成について説明する。
連携サーバ４は、受信機通信部４１と、視聴状態更新部４２と、視聴状態管理部４３と、同一番組視聴受信機抽出部４４と、を含んで構成される。
【００３６】
受信機通信部４１は、複数の受信機Ａ〜Ｄと通信する通信部であり、受信機Ａ〜Ｄのそれぞれから、当該受信機Ａ〜Ｄで視聴中の番組コンテンツのコンテンツ識別情報を受信し、視聴状態更新部４２に送る。また、受信機通信部４１は、同一の番組コンテンツを視聴中の他の受信機の情報を、コンテンツ識別情報を送信してきた受信機Ａ〜Ｄ、すなわち、当該情報を問い合わせてきた受信機Ａ〜Ｄに送信する。
【００３７】
視聴状態更新部４２は、受信機通信部４１から送られた情報に基づいて、視聴状態管理部４３で管理する受信機Ａ〜Ｄの視聴状態を更新する。すなわち、視聴状態更新部４２は、受信機Ａ〜Ｄの視聴状態について、当該受信機Ａ〜Ｄから通知されたコンテンツ識別情報に対応した番組コンテンツを視聴中であると更新する。また、視聴状態更新部４２は、受信機Ａ〜Ｄからコンテンツ識別情報の通知が所定の期間ない場合には、当該受信機Ａ〜Ｄの視聴状態について「未視聴」と更新する。
【００３８】
視聴状態管理部４３は、受信機Ａ〜Ｄの視聴状態を管理する。ここで、視聴状態管理部４３の概要を示す模式図を図５に示す。視聴状態管理部４３は、受信機毎に当該受信機のユーザ及び当該受信機で視聴中の番組コンテンツを少なくとも管理する。なお、本実施形態では、視聴中の番組コンテンツをチャンネル情報により特定しているが、これに限られるものではなく、他の情報により特定することとしてもよい。
図５を参照すると、受信機Ａ及び受信機Ｂではチャンネル「ＣＨ１」が視聴中であり、受信機Ｃではチャンネル「ＣＨ２」が視聴中であり、受信機Ｄは「未視聴」中である。
【００３９】
同一番組視聴受信機抽出部４４は、受信機Ａ〜Ｄからの問合せに応じて、視聴状態管理部４３を参照して当該受信機Ａ〜Ｄと同一の番組コンテンツを視聴中の他の受信機Ａ〜Ｄの情報を抽出する。同一番組視聴受信機抽出部４４により抽出された他の受信機Ａ〜Ｄの情報は、受信機通信部４１に送られ、問合せを行った受信機Ａ〜Ｄに送信される。
図５を参照して、受信機Ａから同一の番組コンテンツを視聴中の他の受信機Ｂ〜Ｄの情報の問合せがあったとする。このとき、同一番組視聴受信機抽出部４４は、受信機Ａで視聴中のチャンネル「ＣＨ１」と同一のチャンネルを視聴中の受信機Ｂを他の受信機として抽出する。
【００４０】
［受信機連携システム１の処理］
続いて、図６を参照して、同一の番組コンテンツを視聴中の受信機の連携を実現するための受信機連携システム１の処理、すなわち、受信機Ａ〜Ｄと連携サーバ４とで行われる処理について説明する。
【００４１】
初めに、受信機Ａ〜Ｄの番組コンテンツ受信部３１は、放送局２から放送又は通信を介して、番組コンテンツ信号を受信する（Ｓ１）。このとき、番組コンテンツ信号には、番組コンテンツと共に複数の情報、例えば、コンテンツ識別情報が多重化され、番組コンテンツ受信部３１は、これら多重化された情報を解析部３２に送る。
【００４２】
続いて、受信機Ａ〜Ｄの解析部３２は、番組コンテンツ受信部３１から送られた情報からコンテンツ識別情報を抽出し、受信機Ａ〜Ｄで視聴中の番組コンテンツを特定する（Ｓ２）。続いて、連携サーバ通信部３３は、Ｓ２で特定した番組コンテンツ、すなわち、コンテンツ識別情報を連携サーバ４に対して通知する（Ｓ３）。
【００４３】
連携サーバ４の受信機通信部４１が受信機Ａ〜Ｄからコンテンツ信号を受信すると、同一番組視聴受信機抽出部４４は、当該コンテンツ信号をキーとして視聴状態管理部４３を検索し、同一の番組コンテンツを視聴中の他の受信機（ユーザ）を抽出する（Ｓ４）。そして、受信機通信部４１は、Ｓ４の検索結果、すなわち、抽出した他の受信機の情報を、コンテンツ識別情報を通知してきた受信機Ａ〜Ｄに対して送信する（Ｓ５）。
【００４４】
続いて、受信機Ａ〜Ｄの連携サーバ通信部が連携サーバ４から他の受信機の情報を受信すると、提示部３４は、同一の番組コンテンツを視聴中の他の受信機（ユーザ）をディスプレイなどに表示し（Ｓ６）、処理を終了する。このとき、提示部３４は、同一の番組コンテンツを視聴中の他の受信機を、視聴中の番組コンテンツに重ね合わせて表示することとしてもよく、番組コンテンツの外側へ表示することとしてもよい。
【００４５】
［同一の番組コンテンツを視聴中の受信機３での共通アプリケーションの実行連携］
続いて、図７〜図１０を参照して、同一の番組コンテンツを視聴中の受信機での共通アプリケーションの実行連携を実現するための構成について説明する。ここで、当該連携では、受信機Ａ〜Ｄのうちの任意の受信機でアプリケーションが実行されることを契機に、他の受信機で同一のアプリケーションが実行される。図７〜図１０では、受信機Ａで実行したアプリケーションを他の受信機Ｂ〜Ｄで実行する構成について説明する。
なお、同一の番組コンテンツを視聴中の受信機の連携において説明した構成と同様の構成については、同一の符号を付し詳細な説明を省略する。
【００４６】
［受信機Ａの構成］
図７を参照して、受信機Ａの構成について説明する。受信機Ａは、番組コンテンツ受信部３１と、解析部３２と、連携サーバ通信部３３と、提示部３４と、操作判定部３５と、サービスサーバ通信部３６と、アプリケーション実行部３７と、アプリケーション情報抽出部３８と、を含んで構成される。また、受信機３は、アプリケーション蓄積部３９も併せて備えることとしてもよい。
【００４７】
番組コンテンツ受信部３１は、放送又は通信を介して、番組コンテンツと共に複数の情報が多重化されて構成される番組コンテンツ信号を受信する。ここで、図７では、番組コンテンツ受信部３１は、コンテンツ識別情報が付された番組コンテンツ（映像・音声）に加えアプリケーション管理情報（ＡＩＴ（図２））が多重化された番組コンテンツ信号を受信する。番組コンテンツ受信部３１は、受信したアプリケーション管理情報を解析部３２に送る。
【００４８】
解析部３２は、番組コンテンツ受信部３１から送られたアプリケーション管理情報を解析し、番組コンテンツと連携する１又は複数のアプリケーション及び当該アプリケーションの取得に関する情報を抽出する。ここで、アプリケーションの取得に関する情報には、ＡＩＴに記述されたアプリケーションＩＤ及びロケーション情報が少なくとも含まれる。
【００４９】
操作判定部３５は、図示しないリモコンを介して受信機ＡのユーザＡから解析部３２が抽出した１又は複数のアプリケーションから受信機Ａで実行するアプリケーションの選択を受け付け、選択されたアプリケーションのアプリケーションＩＤ及びロケーション情報をサービスサーバ通信部３６に送る。
ここで、図７では、番組コンテンツと連携する１又は複数のアプリケーションとして、図２に記述されたＡＰＰ１「チャット」、ＡＰＰ２「音声（英語）」及びＡＰＰ３「字幕（英語）」のアプリケーションが抽出されているものとし、ユーザＡから受信機Ａで実行するアプリケーションとしてＡＰＰ１が選択されているものとする。
【００５０】
サービスサーバ通信部３６は、操作判定部３５から送られたロケーション情報に基づいてサービスサーバ５にアクセスし、当該サービスサーバ５からアプリケーションＩＤにより特定されるアプリケーション及びアプリ用コンテンツを受信する。また、サービスサーバ通信部３６は、受信したアプリケーション及びアプリ用コンテンツをアプリケーション実行部３７に送る。
なお、サービスサーバ通信部３６は、サービスサーバ５から受信したアプリケーションをアプリケーション蓄積部３９に記憶することとしてもよい。
【００５１】
アプリケーション実行部３７は、サービスサーバ通信部３６から送られたアプリケーション又はアプリケーション蓄積部３９に記憶されたアプリケーションを実行し、番組コンテンツに連携するサービスを構成する映像及び（又は）音声を提示部３４に送る。サービスを構成する映像及び（又は）音声は、提示部３４を介して、ディスプレイやスピーカなどから出力される。これにより、受信機Ａにおいて、アプリケーション及びアプリ用コンテンツに基づくサービスが実行される。
【００５２】
アプリケーション情報抽出部３８は、サービスサーバ通信部３６が受信した、すなわち、アプリケーション実行部３７で実行したアプリケーションの取得に関する情報を抽出する。アプリケーション情報抽出部３８は、アプリケーションの取得に関する情報として、例えば、操作判定部３５を介して選択されたアプリケーションのアプリケーションＩＤ及びロケーション情報を抽出する。
【００５３】
連携サーバ通信部３３は、アプリケーション情報抽出部３８で抽出されたアプリケーションＩＤ及びロケーション情報を連携サーバ４に送信する。すなわち、連携サーバ通信部３３は、受信機Ａで実行したアプリケーションのアプリケーションＩＤ及びロケーション情報を連携サーバ４に送信する。なお、連携サーバ通信部３３は、実行したアプリケーションのアプリケーションＩＤ及びロケーション情報に加え、受信機Ａで視聴中の番組コンテンツのコンテンツ識別情報を連携サーバ４に送信することとしてもよい。
【００５４】
［連携サーバ４の構成］
続いて、図８を参照して、連携サーバ４の構成について説明する。連携サーバ４は、受信機通信部４１と、視聴状態管理部４３と、同一番組視聴受信機抽出部４４と、を含んで構成される。
【００５５】
受信機通信部４１は、受信機Ａから、当該受信機Ａで実行中のアプリケーションのアプリケーションＩＤ及びロケーション情報を受信する。また、受信機通信部４１は、同一番組視聴受信機抽出部４４が視聴状態管理部４３から抽出した受信機Ａと同一の番組コンテンツを視聴中の受信機に対して、受信機Ａから受信したアプリケーションＩＤ及びロケーション情報を送信する。
図５を参照すると、受信機Ａと同一の番組コンテンツを視聴中の受信機は、受信機Ｂであるため、受信機通信部４１は、受信機Ｂに対してアプリケーションＩＤ及びロケーション情報（具体的には、受信機Ａで実行中のアプリケーションＩＤ「ＡＰＰ１」及びロケーション情報「ＵＲＬ１」）を送信する。
【００５６】
［受信機Ｂの構成］
続いて、図９を参照して、共通アプリケーションを実行する受信機（本実施形態では、受信機Ｂ）の構成について説明する。
共通アプリケーションを実行する受信機Ｂは、番組コンテンツ受信部３１と、提示部３４と、連携サーバ通信部３３と、サービスサーバ通信部３６と、アプリケーション実行部３７と、を含んで構成される。また、受信機３は、アプリケーション蓄積部３９も併せて備えることとしてもよい。
【００５７】
番組コンテンツ受信部３１は、放送又は通信を介して、番組コンテンツ信号を受信する。番組コンテンツは、適宜デコード処理などを行った後に提示部３４を介して、ディスプレイやスピーカなどから出力される。
【００５８】
連携サーバ通信部３３は、連携サーバ４から他の受信機で実行中のアプリケーションの取得に関する情報を受信する。すなわち、連携サーバ通信部３３は、連携サーバ４から受信機Ａで実行中のアプリケーションのアプリケーションＩＤ及びロケーション情報を受信する。
【００５９】
サービスサーバ通信部３６は、連携サーバ通信部３３が受信したロケーション情報に基づいてサービスサーバ５にアクセスし、当該サービスサーバ５からアプリケーションＩＤにより特定されるアプリケーション及びアプリ用コンテンツを受信する。また、サービスサーバ通信部３６は、受信したアプリケーション及びアプリ用コンテンツをアプリケーション実行部３７に送る。
なお、サービスサーバ通信部３６は、サービスサーバ５から受信したアプリケーションをアプリケーション蓄積部３９に記憶することとしてもよい。
【００６０】
アプリケーション実行部３７は、サービスサーバ通信部３６から送られたアプリケーション又はアプリケーション蓄積部３９に記憶されたアプリケーションを実行し、当該アプリケーションにより実現されるサービスを構成する映像及び（又は）音声を提示部３４に送る。サービスを構成する映像及び（又は）音声は、提示部３４を介して、ディスプレイやスピーカなどから出力される。これにより、受信機Ｂでは、同一番組を視聴中の他の受信機（受信機Ａ）で実行中のアプリケーションが実行される。
【００６１】
［受信機連携システム１の処理］
続いて、図１０を参照して、同一の番組コンテンツを視聴中の受信機３での共通アプリケーションの実行を実現するための受信機連携システム１の処理、すなわち、受信機Ａ〜Ｄと連携サーバ４とで行われる処理について説明する。
【００６２】
初めに、受信機Ａの操作判定部３５は、例えばリモコンを介して受信機ＡのユーザＡからアプリケーションの選択を受け付ける（Ｓ１１）。続いて、受信機Ａのアプリケーション実行部３７は、サービスサーバ通信部３６を介してサービスサーバ５から取得したアプリケーションを実行し、提示部３４を介して出力する（Ｓ１２）。このとき、受信機Ａのアプリケーション情報抽出部３８は、アプリケーション管理情報（ＡＩＴ（図２））からアプリケーション実行部３７で実行中のアプリケーションの情報（アプリケーションＩＤ及びロケーション情報）を抽出する（Ｓ１３）。続いて、受信機Ａの連携サーバ通信部３３は、抽出したアプリケーションの情報を、連携サーバ４に対して送信する（Ｓ１４）。このとき、連携サーバ通信部３３は、受信機Ａで視聴中の番組コンテンツのコンテンツ識別情報も併せて送信することとしてもよい。
【００６３】
受信機Ａから実行中のアプリケーションの情報を受信すると、連携サーバ４の同一番組視聴受信機抽出部４４は、視聴状態管理部４３を参照して、受信機Ａと同一の番組コンテンツを視聴中の他の受信機Ｂ〜Ｄを検索する（Ｓ１５）。本実施形態では、受信機Ｂが検索される。続いて、連携サーバ４の受信機通信部４１は、受信機Ａから受信した実行中のアプリケーションの情報を、Ｓ１５で検索した他の受信機（受信機Ｂ）に対して通知する。
【００６４】
連携サーバ４から受信機Ａで実行中のアプリケーションの情報（アプリケーションＩＤ及びロケーション情報）を受信すると、受信機Ｂのサービスサーバ通信部３６は、受信したロケーション情報に基づいてサービスサーバ５にアクセスし、当該サービスサーバ５からアプリケーションＩＤにより特定されるアプリケーション及びアプリ用コンテンツを取得する。続いて、受信機Ｂのアプリケーション実行部３７は、取得したアプリケーションを実行し、提示部３４を介して出力する（Ｓ１７）。
なお、受信機Ｂでは、連携サーバ４から受信したアプリケーションが常に実行されるが、連携サーバ４からアプリケーションの情報を受信した際に、受信機ＢのユーザＢに当該アプリケーションを実行するか否か選択させる構成としてもよい。
【００６５】
［受信機連携システム１の動作］
続いて、図１１及び図１２を参照して、本発明の受信機連携システム１の動作について説明する。なお、図１１は、同一の番組コンテンツを視聴中の受信機の連携の際の受信機連携システム１の動作を示す図であり、図１２は、同一の番組コンテンツを視聴中の受信機３での共通アプリケーションの実行連携の際の受信機連携システム１の動作を示す図である。
【００６６】
図１１（１）を参照して、受信機連携システム１の連携サーバ４は、複数の受信機Ａ〜Ｄのそれぞれから視聴中の番組コンテンツを受け付ける。すると、連携サーバ４では、複数の受信機Ａ〜Ｄのうち同一の番組コンテンツを視聴中の受信機を特定し、当該受信機に対して同一の番組コンテンツを視聴中の他の受信機の情報を通知する。
【００６７】
図１１（１）では、連携サーバ４は、受信機Ａ及び受信機Ｂからチャンネル「ＣＨ１」を視聴中であると受け付けており、受信機Ｃからチャンネル「ＣＨ２」を視聴中であると受け付けており、受信機Ｄからは「未視聴」、すなわち、何の情報も受け付けていない。そのため、連携サーバ４は、受信機Ａに対して受信機Ｂが同一の番組コンテンツを視聴中であると通知し、受信機Ｂに対して受信機Ａが同一の番組コンテンツを視聴中と通知する。
【００６８】
その結果、図１１（２）に示すように、受信機Ａには、同一の番組コンテンツをユーザＢが視聴中であることが表示される。このように本発明の受信機連携システム１によれば、連携サーバ４を介した双方向の通信により、同一の番組コンテンツを視聴中の他のユーザを把握することができ、同一の番組コンテンツを視聴中のユーザ同士を連携することができる。
【００６９】
続いて、図１２（１）を参照して、受信機連携システム１の連携サーバ４は、同一の番組コンテンツを視聴中の受信機のうちの１の受信機で実行されたアプリケーションの情報を他の受信機に対して通知する。図１２（１）では、同一の番組コンテンツを視聴中の受信機Ａ及び受信機Ｂのうち受信機Ａでチャットアプリケーションが実行されている。このとき、受信機Ａは、アプリケーション管理情報からチャットアプリケーションの取得に関する情報（アプリケーションＩＤ及びロケーション情報）を抽出し、連携サーバ４に対して送信する。
【００７０】
その後、連携サーバ４は、受信機Ｂに対して、受信機Ａで実行中のアプリケーションの情報を通知する。その結果、受信機Ｂには、図１２（２）に示すように、同一の番組コンテンツを視聴中の受信機ＡのユーザＡがチャットアプリケーションを実行したことが表示される。
【００７１】
このとき、例えば、受信機Ｂのユーザが受信機Ｂでもチャットアプリケーションを実行することを許可すると、受信機Ｂは、連携サーバ４から受信した情報に基づいてサービスサーバ５へアクセスし、受信機Ａで実行中のチャットアプリケーションを取得し、実行する。その結果、受信機Ｂには、図１２（３）に示すように、チャット画面が表示され、同一の番組コンテンツを視聴中の受信機Ａとの間でチャットが行われる。
【００７２】
これにより、本発明の受信機連携システム１では、同一の番組コンテンツを視聴中の複数の受信機Ａ，Ｂのうち１の受信機Ａで実行したアプリケーションに基づくサービスを、他の受信機Ｂにも提供することができ、同一の番組コンテンツを視聴中のユーザ同士を連携することができる。
【符号の説明】
【００７３】
１  受信機連携システム
２  放送局
３（Ａ，Ｂ，Ｃ，Ｄ）  受信機
３１  番組コンテンツ受信部
３２  解析部
３３  連携サーバ通信部
３４  提示部
３５  操作判定部
３６  サービスサーバ通信部
３７  アプリケーション実行部
３８  アプリケーション情報抽出部
３９  アプリケーション蓄積部
４  連携サーバ
４１  受信機通信部
４２  視聴状態更新部
４３  視聴状態管理部
４４  同一番組視聴受信機抽出部
５  サービスサーバ
【図１】
2012244340.tif 000003
【図２】
2012244340.tif 000004
【図３】
2012244340.tif 000005
【図４】
2012244340.tif 000006
【図５】
2012244340.tif 000007
【図６】
2012244340.tif 000008
【図７】
2012244340.tif 000009
【図８】
2012244340.tif 000010
【図９】
2012244340.tif 000011
【図１０】
2012244340.tif 000012
【図１１】
2012244340.tif 000013
【図１２】
2012244340.tif 000014